(57)【特許請求の範囲】
【請求項１】
ＯＳＤ機能と、前記ＯＳＤ機能を使用して各種の設定操作を行うための複数のＯＳＤスイッチとを備えた表示装置であって、
前記複数のＯＳＤスイッチが、表示画面を囲むフロントベゼルの隣り合った２辺にＬ字型に配置された構成であって、
前記複数のＯＳＤスイッチが、上下左右方向の各方向用のスイッチで構成されるか、または、前記各方向用のスイッチとその他の所望の各方向用以外のスイッチとで構成され、
前記各方向用のスイッチのうち前記上方向用のスイッチが前記下方向用のスイッチの上側に配置され、前記左方向用のスイッチが前記右方向用のスイッチの左側に配置され、
前記表示画面に平行な面内で左右の方向に回動可能に構成された回転機構と、
前記回転機構により前記表示装置が９０度毎に回転したことが、前記表示装置の裏面に備えられた回転判別手段がスタンドに接触したか否かにより判別された場合に、前記各方向用のスイッチの操作機能を、回転した角度に対応した前記各方向用のスイッチの操作機能に入れ替える手段と、
前記各方向用スイッチのそばの前記表示画面上に、前記各方向用スイッチに対応した機能を表すキーガイドを表示する手段を備え、
前記キーガイドを表示する手段は、操作できない方向の方向用スイッチの機能を表すキーガイドを、色を変えて表示する
ことを特徴とする表示装置。
【請求項２】
前記ＯＳＤスイッチの操作機能を入れ替える場合に、前記キーガイドの表示内容を、前記ＯＳＤスイッチの操作機能に対応して変化させる手段を
備えることを特徴とする請求項１に記載の表示装置。
【発明の詳細な説明】
【技術分野】
【０００１】
本発明は、ＯＳＤ機能とＯＳＤ設定操作を行うためのＯＳＤスイッチとを有する、表示装置、およびＯＳＤスイッチの配置方法に関し、特に、フロントベゼルが狭いままでも、その厚みを増さずに、スイッチ操作が視覚的に違和感なくできるようにＯＳＤスイッチを配置することができる、表示装置、およびＯＳＤスイッチの配置方法に関するものである。
【背景技術】
【０００２】
図１３は、従来の表示装置の構成例を示す図である。図１３（Ａ）、図１３（Ｂ）、図１３（Ｃ）は、それぞれＯＳＤ(On Screen Display)機能を有する表示装置を示している。そして、表示装置のそれぞれには、フロントベゼル（額縁）に、ＯＳＤ機能により各種の設定を行うためのＯＳＤスイッチ１３ａ、１３ｂ、１３ｃが配置されている。そして、表示装置の各種のＯＳＤ設定は、オンスクリーン上のメニュー（オンスクリーンメニューともいう）により、ＯＳＤスイッチ１３ａ、１３ｂ、１３ｃを用いて行っている。
【０００３】
なお、ＯＳＤとは、表示装置の各種設定値等を、表示画面の一部にオンスクリーンメニューを表示しながら設定できるようにした表示装置の機能であり、表示画面の明るさや、コントラスト（ＣＯＮＴＲＡＳＴ）や、画面サイズなどを、表示画面上で確認しながら調整できるようにした機能である。また、本明細書では「ＯＳＤスイッチ」のことを、単に「スイッチ」とも呼ぶ。
【０００４】
図１３において、従来の表示装置では、スイッチ１３ａに示すように、十字方向に４つのキー（スイッチ）を配列させ、オンスクリーンメニュー上でカーソルを四方へ動かすことにより、表示装置の設定を変更して、ユーザが直感的に操作出来るようにしている表示装置がある。
【０００５】
また、最近は、表示装置のフロントベゼル（額縁）を小さくして、省スペース化が図られるようになってきている。しかしながら、フロントベゼルを狭くし狭額縁化することにより、ＯＳＤスイッチを十字方向に並べるスペースがなくなり、十字配列を採用することができなくなった。そのため、十字方向の操作でありながら、スイッチ１３ｂのように横一列に並べるか、もしくは、十字操作でないオンスクリーンメニューの選択方式を採用せざるを得なかった。
【０００６】
あるいは、スイッチ１３ｃに示すようにスティックタイプの操作ボタンを採用するケースもある。これは省スペースが図れ、十字操作を実現することが出来る反面、図１３（Ｄ）に示すように、スイッチ１３ｃにより厚み方向が増すことによりデザイン性が損なわれることとなる。
【０００７】
なお、従来技術のＯＳＤ入力方式がある（例えば、特許文献１を参照）。この従来技術のＯＳＤ入力方式は、誤操作することが少なく、かつ操作性がよく、信頼性の高いＯＳＤ入力手段を提供することを目的としている。このために、表示装置の表示画面には、表示画面の明るさやコントラスト等を調整するための操作メニュー画面を多重表示する。表示装置のベゼルの例えば底面の、表示画面の操作メニュー画面に接近する部位に、操作メニューに対応した非接触スイッチを設ける。非接触スイッチを操作することで、入力された非接触スイッチの作動に対応した表示装置の制御を行うようにしたものである。
しかしながら、この従来技術のＯＳＤ入力方式は、フロントベゼルの狭くなったことにより生じるＯＳＤスイッチの配置の問題を解決することを目的とはしておらず、本発明とは、目的と構成が異なるものである。
【特許文献１】特開２００３−１５８６９２号公報
【発明の開示】
【発明が解決しようとする課題】
【０００８】
上述したように、図１３に示す従来の表示装置では、十字配列のスイッチ１３ａを使用すると額縁が広くなり、フロントベゼルの下辺に横一列に配列したスイッチ１３ｂを使用すると、十字方向にスイッチを配置できなくなる。また、スティックタイプのスイッチ１３ｃを使用すると、表示装置の厚み方向が増すなどの問題があった。
【０００９】
本発明はこのような問題を解決するためになされたもので、その目的は、フロントベゼルが狭いままでも、その厚みを増さずに、スイッチ操作が視覚的に違和感なくできるようにＯＳＤスイッチを配置することができ、また、ＯＳＤスイッチの操作性を向上させることができる、表示装置、およびＯＳＤスイッチの配置方法を提供することにある。
【課題を解決するための手段】
【００１０】
本発明の表示装置は、ＯＳＤ機能と、前記ＯＳＤ機能を使用して各種の設定操作を行うための複数のＯＳＤスイッチとを備えた表示装置であって、前記複数のＯＳＤスイッチが、表示画面を囲むフロントベゼルの隣り合った２辺にＬ字型に配置された構成であることを特徴とする。
これにより、フロントベゼルが狭く、１つの辺にスイッチを十字方向に並べて置くスペースがない場合でも、２辺同時にスイッチを配置することにより、スイッチを上下左右に配置し、十字配列のような感覚で操作することが可能となる。
【００１１】
また、フロントベゼルが狭く、１つの辺にスイッチを十字方向に並べて置くスペースがない場合でも、２辺同時にスイッチを配置することにより、スイッチを上下左右に配置することが可能となり、十字配列のような感覚で操作することが可能となる。また、オンスクリーンメニューの動作とＯＳＤスイッチを視覚的に対応させることができるため、違和感なく直感的にオンスクリーンメニューを操作でき、操作性が向上する。
【００１２】
また、本発明の表示装置は、前記複数のＯＳＤスイッチが、上下左右方向の各方向用のスイッチで構成されるか、または、前記各方向用のスイッチとその他の所望の各方向用以外のスイッチとで構成され、前記各方向用のスイッチのうち前記上方向用のスイッチが前記下方向用のスイッチの上側に配置され、前記左方向用のスイッチが前記右方向用のスイッチの左側に配置され、前記表示画面に平行な面内で左右の方向に回動可能に構成された回転機構を備え、前記回転機構により前記表示装置が９０度毎に回転したことが、前記表示装置の裏面に備えられた回転判別手段がスタンドに接触したか否かにより判別された場合に、前記各方向用のスイッチの操作機能を、回転した角度に対応した前記各方向用のスイッチの操作機能に入れ替える手段を備えることを特徴とする。
これにより、スイッチを上下左右に配置し、十字配列のような感覚で操作することが可能となる他に、ＯＳＤスイッチにより操作できる機能を拡張することができる。例えば、オンスクリーンメニュー上で上下左右方向にカーソル等を移動することだけでなく、その他の操作（例えば、ＲＥＳＥＴ（リセット）操作など）も行うようにすることができ、操作性を向上できる。
【００１３】
また、回転可能に構成された表示装置において、フロントベゼルが狭く、１つの辺にスイッチを十字方向に並べて置くスペースがない場合でも、２辺同時にスイッチを配置することにより、スイッチを上下左右に配置することが可能となる。
【００１４】
また、表示装置を回転させた際にも、視覚的に対応したスイッチ動作となり、違和感なく設定操作を行うことができ、操作性を向上させることができる。
【００１５】
また、本発明の表示装置は、前記各方向用スイッチのそばの前記表示画面上に、前記各方向用スイッチに対応した機能を表すキーガイドを表示する手段を備え、前記キーガイドを表示する手段は、操作できない方向の方向用スイッチの色を変えて表示することを特徴とする。
これにより、表示装置を回転させた際にも、十字方向用の各スイッチおよび十字方向用以外のスイッチについて、視覚的に対応したスイッチ動作とすることができ、違和感なく設定操作を行うことができ、操作性を向上させることができる。
【００１６】
また、フロントベゼルが狭く、ＯＳＤスイッチ上に刻印やシルクを設けることが容易にできない場合に、刻印やシルクの代わりに、各スイッチの近辺の表示装置画面内にスイッチ機能を表記することで、刻印やシルクを設けなくても各スイッチの機能を明確化することが可能となり、操作性を向上させることができる。
【００１７】
また、本発明の表示装置は、前記ＯＳＤスイッチの操作機能を入れ替える場合に、前記キーガイドの表示内容を、前記ＯＳＤスイッチの操作機能に対応して変化させる手段を備えることを特徴とする。
これにより、ＯＳＤによる各種の設定操作中に、設定の種類および設定値に応じてＯＳＤスイッチの操作機能が変化する場合は、これに対応してキーガイドの表記内容を変えることができ、スイッチ操作の働きを明確に表示することが可能となる。このように、キーガイドの表示を設定操作の状況に応じて変えることで操作性を向上できる。
【００１８】
また、本発明の表示装置は、前記回転機構による表示装置の回転状態を判別する手段を備え、前記判別した回転状態に基づいて前記ＯＳＤスイッチの操作機能を入れ替えることを特徴とする。
これにより、表示装置が回転しているかどうかを自動で判断することが可能となり、手動での操作不要とし、ＯＳＤスイッチの操作機能を自動で切替えることが可能となる。
【００１９】
また、本発明のＯＳＤスイッチの配置方法は、ＯＳＤ機能と、前記ＯＳＤ機能を使用して各種の設定操作を行うための複数のＯＳＤスイッチとを備えた表示装置における前記ＯＳＤスイッチの配置方法であって、前記複数のＯＳＤスイッチが、表示画面を囲むフロントベゼルの隣り合った２辺にＬ字型に配置すること。
これにより、フロントベゼルが狭く、１つの辺にスイッチを十字方向に並べて置くスペースがない場合でも、２辺同時にスイッチを配置することにより、スイッチを上下左右に配置し、十字配列のような感覚で操作することが可能となる。
【発明の効果】
【００２０】
本発明の表示装置においては、ＯＳＤスイッチを、表示画面を囲むフロントベゼルの２辺に分けて配置するようにしたので、これにより、フロントベゼルが狭く、１つの辺にスイッチを十字方向に並べて置くスペースがない場合でも、２辺同時にスイッチを配置することにより、スイッチを上下左右に配置し、十字配列のような感覚で操作することが可能となる。
【００２１】
また、本発明の表示装置においては、ＯＳＤスイッチを、フロントベゼルの隣り合った２辺に分けて配置するようにしたので、これにより、フロントベゼルが狭く、１つの辺にスイッチを十字方向に並べて置くスペースがない場合でも、２辺同時にスイッチを配置することにより、スイッチを上下左右に配置することが可能となり、十字配列のような感覚で操作することが可能となる。また、オンスクリーンメニューの動作とＯＳＤスイッチを視覚的に対応させることができるため、違和感なく直感的にオンスクリーンメニューを操作でき、操作性が向上する。
【００２２】
また、本発明の表示装置においては、ＯＳＤスイッチには、上下左右方向の十字方向用のスイッチだけでなく、所望の場合には、十字方向用以外のスイッチも加えるようにしたので、これにより、スイッチを上下左右に配置し、十字配列のような感覚で操作することが可能となる他に、ＯＳＤスイッチにより操作できる機能を拡張することができる。例えば、オンスクリーンメニュー上で上下左右方向にカーソル等を移動することだけでなく、その他の操作（例えば、ＲＥＳＥＴ（リセット）操作など）も行うようにすることができ、操作性を向上できる。
【００２３】
また、本発明の表示装置においては、表示装置を回動させるための回転機構を備えるようにしたので、これにより、回転可能に構成された表示装置において、フロントベゼルが狭く、１つの辺にスイッチを十字方向に並べて置くスペースがない場合でも、２辺同時にスイッチを配置することにより、スイッチを上下左右に配置することが可能となる。
【００２４】
また、本発明の表示装置においては、表示装置を回転した場合に、フロントベゼルの各辺に配置されたＯＳＤスイッチの操作機能を入れ替えるようにしたので、これにより、表示装置を回転させた際にも、視覚的に対応したスイッチ動作となり、違和感なく設定操作を行うことができ、操作性を向上させることができる。
【００２５】
また、本発明の表示装置においては、回転機構により表示画面を回転した場合には、十字方向用の各スイッチおよび十字方向用以外のスイッチの操作機能を入れ替えるようにしたので、これにより、表示装置を回転させた際にも、十字方向用の各スイッチおよび十字方向用以外のスイッチについて、視覚的に対応したスイッチ動作とすることができ、違和感なく設定操作を行うことができ、操作性を向上させることができる。
【００２６】
また、本発明の表示装置においては、表示画面上に、ＯＳＤスイッチのキーガイドを表示するようにしたので、これにより、フロントベゼルが狭く、ＯＳＤスイッチ上に刻印やシルクを設けることが容易にできない場合に、刻印やシルクの代わりに、各スイッチの近辺の表示装置画面内にスイッチ機能を表記することで、刻印やシルクを設けなくても各スイッチの機能を明確化することが可能となり、操作性を向上させることができる。
【００２７】
また、本発明の表示装置においては、ＯＳＤスイッチの操作機能が、ＯＳＤ設定操作の種類および設定値に応じて変化する場合に、キーガイドの表示内容を、ＯＳＤスイッチの操作機能に対応して変化させるようにしたので、これにより、ＯＳＤによる各種の設定操作中に、設定の種類および設定値に応じてＯＳＤスイッチの操作機能が変化する場合は、これに対応してキーガイドの表記内容を変えることができ、スイッチ操作の働きを明確に表示することが可能となる。このように、キーガイドの表示を設定操作の状況に応じて変えることで操作性を向上できる。
【００２８】
また、本発明の表示装置において、表示装置の回転状態を自動で判別するようにしたので、これにより、表示装置が回転しているかどうかを自動で判断することが可能となり、手動での操作不要とし、ＯＳＤスイッチの操作機能を自動で切替えることが可能となる。
【００２９】
また、本発明のＯＳＤスイッチの配置方法においては、ＯＳＤスイッチを、表示画面を囲むフロントベゼルの２辺に分けて配置するようにしたので、これにより、フロントベゼルが狭く、１つの辺にスイッチを十字方向に並べて置くスペースがない場合でも、２辺同時にスイッチを配置することにより、スイッチを上下左右に配置し、十字配列のような感覚で操作することが可能となる。
【発明を実施するための最良の形態】
【００３０】
次に本発明を実施するための最良の形態について図面を参照して説明する。
【００３１】
［第１の実施の形態］
図１は、本発明の表示装置の第１の実施の形態を示す図であり、表示装置１におけるＯＳＤスイッチ１０の配置例を示したものである。図１において、表示装置１の表示画面３の周辺のフロントベゼル（額縁）２には、Ｌ字型に配列されたＯＳＤスイッチ１０が設けられている。図１に示すＯＳＤスイッチ１０においては、スイッチ１０ａが上方向キー（上方向スイッチ）、スイッチ１０ｂが下方向キー（下方向スイッチ）、スイッチ１０ｃが右方向キー（右方向スイッチ）、スイッチ１０ｄが左方向キー（左方向スイッチ）に割り当てられる。フロントベゼル２の右辺には、スイッチ１０ｂの上側にスイッチ１０ａが配置され、下辺にはスイッチ１０ｃの左側にスイッチ１０ｄが配置されている。なお、本明細書では、「ＯＳＤスイッチ」のことを単に「スイッチ」と呼ぶ場合がある。
【００３２】
また、図２は、第１の実施の形態における表示装置の回路構成例を示すブロック図であり、本発明に直接関係する部分を示したものである。図２に示す表示装置１は、映像処理部１０１、映像ＭＩＸ部１０２、映像表示部１０３、操作信号処理部１０４、ＯＳＤ制御部１０５から構成される。
【００３３】
図２おいて、図１に示すＯＳＤスイッチ１０中のいずれかのスイッチを押すことにより得られたスイッチ操作信号ａを操作信号処理部１０４で検知して、スイッチ操作に応じた制御信号ｂをＯＳＤ制御部１０５へ出力する。このＯＳＤ制御部１０５では、押されたスイッチに対応したＯＳＤ映像信号ｃを生成し、映像ＭＩＸ部１０２へ出力する。映像処理部１０１では、入力映像信号ｄを画像処理し処理後映像信号ｅを生成し、映像ＭＩＸ部１０２へ出力する。映像ＭＩＸ部１０２では、映像処理部１０１で処理された処理後映像信号ｅとＯＳＤ映像信号ｃとをＭＩＸＩＮＧ（ミキシング：混合）し、ＭＩＸ後映像信号ｆを生成して映像表示部１０３に出力する。映像表示部１０３では、ＭＩＸ後映像信号ｆを受け取り映像を表示する。
【００３４】
例えば、図３（Ａ）に示すように、ＯＳＤ画面４にオンスクリーンメニューを表示中に、該メニュー中でカーソルを、「ＣＯＮＴＲＡＳＴ」から「ＡＵＴＯ ＣＯＮＴＲＡＳＴ」に下に移動する場合は、図１に示すスイッチ１０ｂを押す。スイッチ１０ｂが押されたというスイッチ操作信号ａが操作信号処理部１０４で検知され、制御信号ｂを出力してＯＳＤ制御部１０５を制御し、ＯＳＤ制御部１０５によって生成されたオンスクリーンメニューの信号であるＯＳＤ映像信号ｃが映像ＭＩＸ部１０２へ送られる。
【００３５】
映像処理部１０１により入力映像信号ｄを処理した処理後映像信号ｅと、ＯＳＤ制御部１０５から出力されるＯＳＤ映像信号ｃとが、映像ＭＩＸ部１０２でＭＩＸされて映像表示部１０３で画面に映し出される。これにより図３（Ｅ）に示すようにカーソルが１つ下に移動した表示を行うことができる。
【００３６】
また、図３（Ａ）の位置より、ＣＯＮＴＲＡＳＴ（コントラスト）バー５のパーセント（％）値を減らしたいときは、図１に示す左方向用のスイッチ１０ｄを押すことにより、図３（ｃ）に示すようにＣＯＮＴＲＡＳＴバー５のパーセント（％）値が、７０％から５０％に減少したＯＳＤ表示となる。
【００３７】
また、図３（Ａ）の位置より、ＣＯＮＴＲＡＳＴバー５のパーセント（％）値を増やしたいときは、図１に示す右方向用のスイッチ１０ｃを押すと、図３（Ｄ）に示すようにＣＯＮＴＲＡＳＴバー５が、７０％から１００％に増加したＯＳＤ表示となる。
【００３８】
また、図３（Ａ）の位置よりカーソルを上に移動したいときは、図１に示す上方向用のスイッチ１０ａを押すとことにより、図３（Ｂ）に示すようにカーソルが上に移動したＯＳＤ表示となる。
【００３９】
このように、本発明の第１の実施の形態によれば、狭いフロントベゼル（額縁）で１つの辺にスイッチを十字方向に並べて置くスペースがない場合でも、２辺に同時にスイッチを配置することにより、スイッチを上下左右に配置することが可能となる。これにより、オンスクリーンメニューの動作とＯＳＤスイッチを視覚的に対応させることができる。このため、違和感なく直感的にオンスクリーンメニューを操作できるので、操作性を向上させることが可能となる。
【００４０】
なお、図１に示す例では、ＯＳＤスイッチ１０の機能を上下左右の矢印で表示する例を示しているが、ＵＰ／ＤＯＷＮ／ＬＥＦＴ／ＲＩＧＨＴ等の言葉による表記や、同様の意味を表す他の記号による表記でも同様の効果が得られる。
【００４１】
［第２の実施の形態］
次に、本発明の第２の実施の形態について説明する。図４は、本発明の表示装置の第２の実施の形態を示す図である。図４に示した例は、図１に示す表示装置１を右９０度回転した状態を表したものである。また、図５は、第２の実施の形態における表示装置の回路構成例を示すブロック図である。
【００４２】
図４と図１とを比較して、図４に示すスイッチ１０ａ、１０ｂ、１０ｃ、１０ｄは、図１に示すスイッチ１０ａ、１０ｂ、１０ｃ、１０ｄと物理的に同じスイッチである。
【００４３】
また、図５に示す回路ブロック中の操作信号変換部１１０は、表示装置１の回転に応じてスイッチ操作信号ａを変換し、変換後スイッチ操作信号ａ１を生成するブロックでありその他の部分は、図２と同様であり、その説明は省略する。
【００４４】
図６は、本発明の表示装置における処理の流れを示す図であり、図６（Ａ）は、表示装置１における処理の流れを示すフローチャートであり、図６（Ｂ）は、表示装置１の回転に応じてスイッチ操作信号ａを変換する際に使用される、キー変換処理表を表している。
【００４５】
次に、上記構成例における動作について説明する。図３（Ａ）に示すオンスクリーンメニューにおいてカーソルを下に移動したい場合は、そのままの状態（表示装置１をただ９０度右回転しただけの状態、ただし、表示される画面自体は回転されずに表示される状態）では、図４のスイッチ１０ｂを押す必要がある。また、ＣＯＮＴＲＡＳＴバー５のパーセント（％）値を増加する場合は、スイッチ１０ｃを押す必要があり、バーのパーセント（％）値を減少する場合は、スイッチ１０ｄを押す必要があり、いずれも視覚的に対応したスイッチと異なっているために違和感が生じる。そのため、スイッチ１０の取り付け方向を９０度回転した場合は、各スイッチの動作を変える。
【００４６】
スイッチ１０ｃは元々は右向きのスイッチに対応しているので、そのままだと、スイッチ１０ｃを押した場合に右方向の動作、つまりＣＯＮＴＲＡＳＴバー５が増加する動きとなる。これに対して、操作信号変換部１１０により右方向の動作を下方向の動作に変換する。変換した変換後スイッチ操作信号ａ１を操作信号処理部１０４へ出力すると、その後は第１の実施の形態で説明したようにカーソルが下へ移動し、図３（Ｅ）に示すＯＳＤ画面となる。
【００４７】
同様に、スイッチ１０ａを押すと、変換後スイッチ操作信号ａ１として右方向用のスイッチ信号を出力し、図３（Ｄ）に示すＯＳＤ画面となる。また、スイッチ１０ｂを押すと、変換後スイッチ操作信号ａ１として左方向スイッチの信号が出力され、図３（Ｃ）に示すＯＳＤ画面となる。スイッチ１０ｄを押すと、変換後スイッチ操作信号ａ１として上方向スイッチの信号が出力され、図３（Ｂ）に示すＯＳＤ画面となり、視覚的に対応した動作となり違和感なく操作することができる。
【００４８】
次に、図６に示すフローチャートを参照して動作の流れについて説明する。最初に、図４に示すスイッチ１０が押されたことを検知する（ステップＳ１）。そして、スイッチ１０が現在回転した状態（図１に比較してスイッチ１０が９０度右回転した状態）であるかどうかを確認する（ステップＳ２）。
【００４９】
ステップＳ２において、回転した状態であると判定された場合は、キー変換処理を行う（ステップＳ３）。変換処理については図６（Ｂ）の変換処理表に示すように、スイッチ１０ａが押される場合は、回転した状態でなければ上方向動作だが、回転した状態であれば、右方向動作となり、同様にして、スイッチ１０ｂが押される場合は、下方向動作が左方向動作へ、スイッチ１０ｃが押される場合は、右方向動作が下方向動作へ、スイッチ１０ｄが押される場合は、左方向動作が上方向動作へと変換される。
【００５０】
ステップＳ４に示す操作信号処理では、キー操作に応じた処理を行い、キー操作に応じたＯＳＤ制御を行い（ステップＳ５）、ＯＳＤ表示を行う（ステップＳ６）。
【００５１】
このように、本発明の第２の実施の形態によれば、スイッチをＬ字に配置した表示装置において、表示装置を回転させた際にスイッチの機能を入れ替えることにより、視覚的に対応した動作となり、第１の実施の形態と同様に違和感無く動作させることが可能となる。
【００５２】
十字配列スイッチは本来このような効果があるが、狭額縁にすることにより、十字にスイッチを配列することが容易でなくなった。しかし、本発明のようにスイッチをＬ字に配置することにより、本来の十字配列と同様の効果を得ることが可能となる。
【００５３】
［第３の実施の形態］
次に、本発明の第３の実施の形態について説明する。ＯＳＤスイッチを操作する際に、各スイッチに対応した機能の割り振りがある。この各スイッチの機能を明確化するために、一般的にはスイッチ上やその近くに刻印やシルクを設けている。しかし、フロントベゼルを狭額縁とすることにより上記のように刻印やシルクを設けることが容易に出来ない場合がある。この場合に、刻印やシルクの代わりに、各スイッチのそばの表示装置画面内にスイッチ機能をＯＳＤ等で表記することで、刻印やシルクを設けなくても各スイッチの機能を明確化することが可能となる。この例について説明する。
【００５４】
図７は、本発明の表示装置の第３の実施の形態を示す図であり、表示装置１のＯＳＤスイッチ１０と、ＯＳＤ画面によるスイッチ機能の表記の例を示す図である。図７に示すように、スイッチ１０ａは上方向スイッチ、スイッチ１０ｂは下方向スイッチ、スイッチ１０ｃは右方向スイッチ、スイッチ１０ｄは左方向スイッチであることをオンスクリーンで表示画面３に表記することで各キーに割り振られている各機能が明確になる。
【００５５】
また、図８は、オンスクリーンによる他の表記の例１を示す図である。図８に示す例では、スイッチ１０ｃは＋方向キー、スイッチ１０ｄは−方向キーとオンスクリーンで表記する。
【００５６】
次に、上記構成例における動作について説明する。カーソルが図３（Ｆ）に示すように、一番上の位置にある場合は、図７に示す右方向用のスイッチ１０ｃ、左方向用のスイッチ１０ｄを押すことによりカーソルが、横長のメニュー６上を左右に動くが、カーソルが図３（Ａ）に示す位置にある場合はバー５の増減の動作になる。
【００５７】
この際、図３（Ｆ）に示すカーソル位置では、図７に示すようにスイッチ１０ｃの上に右方向、スイッチ１０ｄの上に左方向のキーガイドを表示し、図３（Ｆ）の画面において、スイッチ１０ｃ、１０ｄの動きがカーソルの左右移動であることを明確化する。
【００５８】
また、図３（Ａ）に示す画面のカーソル位置では、図８に示すように、スイッチ１０ｄ上に「−」、スイッチ１０ｄ上に「＋」のキーガイドを表示し、図３（Ａ）に示す画面において、スイッチ１０ｃ、１０ｄの動きがＣＯＮＴＲＡＳＴバー５の増減であることを明確化する。これにより、ユーザはオンスクリーンの動作をより視覚的に認知しやすくなる。
【００５９】
このように、本発明の第３の実施の形態においては、オンスクリーンメニューのカーソルの位置により、キーガイドの表記内容を変える事により、ユーザに対してキー操作の働きを明確に表示することが可能となる。
【００６０】
また、図３（Ｄ）の画面に示す状態では、ＣＯＮＴＲＡＳＴバー５の表示がＭＡＸ（最大１００％）になっている。そのため、ＣＯＮＴＲＡＳＴバー５が増える方向には操作できないので、図９に示すように、ＣＯＮＴＲＡＳＴバー５を増加できないことを明示するために、スイッチ１０ｃの上の右方向「＋」のキーガイドを消す。これによりどのスイッチが有効かをユーザが一目でわかるため、間違って、右方向用のスイッチ１０ｃを押すことがなくなり、オンスクリーンの動作を視覚的に認知しやすくなる。また、「＋」のキーガイドを消さずに、グレーなどのように色を変えて操作不能であることを明示することも可能である（図示せず）。
【００６１】
［第４の実施の形態］
次に、本発明の第４の実施の形態について説明する。
図１０は、本発明の表示装置の第４の実施の形態を示す図である。図１０に示す例は、図７に示す第３の実施の形態の表示装置を、右９０度回転した例である。また、第４の実施の形態では、図６（Ａ）に示すフローチャートが動作の流れを示しており、図６（Ｃ）がキー変換処理表を示している。
【００６２】
図１０に示すスイッチ１０ａ、１０ｂ、１０ｃ、１０ｄ、１０ｅ、１０ｆは、図７に示すスイッチ１０ａ、１０ｂ、１０ｃ、１０ｄ、１０ｅ、１０ｆと物理的に同じスイッチであり、また、図１０において、スイッチ１０ｅをＥＸＩＴキーとし、スイッチ１０ｆをＲＥＳＥＴキーとして構成した例である。このように、上下左右方向用のスイッチ以外のスイッチにおいても、表示装置１が回転した時にキーの割り振りを入れ替えることが可能となる。
【００６３】
図１０に示す構成例の動作について説明する。例えば、図７に示すスイッチ１０ｅはリセットのスイッチ、スイッチ１０ｆはＥＸＩＴのスイッチであるが、９０度回転した時もそのままの機能であれば、上下方向用のスイッチの上にあったＲＥＳＥＴスイッチ１０ｅが、左右方向用のスイッチ１０ａ、１０ｂの横にくることになる。また、左右方向用のスイッチの横にあったＥＸＩＴスイッチ１０ｆが上下方向用のスイッチ１０ｃ、１０ｄの上にくることになる。
【００６４】
このままでは、回転前とはスイッチの位置関係が異なるので違和感が生じる。このため、図１０に示すスイッチ１０ｅを押したときに、図５に示す操作信号変換部１１０によりスイッチ操作信号ａをＥＸＩＴ信号へ変換する。また、図１０に示すスイッチ１０ｆを押したときに、スイッチ操作信号ａを操作信号変換部１１０によりＲＥＳＥＴ信号へ変換する。このようにスイッチ１０eおよびスイッチ１０ｆのＲＥＳＥＴとＥＸＩＴの信号を入れ替えることにより、違和感のないスイッチ操作を行うことが可能となる。
【００６５】
また、第４の実施の形態では、図６（Ａ）に示すフローチャートにおいて、ステップＳ３におけるキー変換処理を、図６（Ｃ）に示すキー変換処理表を使用して行う。スイッチ１０ｅが押される場合は、表示装置１が右９０度回転していなければ、ＲＥＳＥＴ動作だが、回転しているとＥＸＩＴ動作へ変換される。また、スイッチ１０ｆが押される場合、表示装置１が回転していなければＥＸＩＴ動作だが、回転しているとＲＥＳＥＴ動作へと変換される。その他のスイッチの処理については、第２の実施の形態と同様であり説明を省略する。
【００６６】
さらに、図１０に示すように、スイッチが右９０度回転した場合に、スイッチ１０ｆの横にＲＥＳＥＴ、スイッチ１０ｅの横にＥＸＩＴを画面により表記すれば、スイッチの動作が入れ替わっても間違いなく操作をすることが可能となる。
【００６７】
また、スイッチ上もしくはフロントベゼルの上に刻印やシルクで記載している表示装置にスイッチ機能の入れ替えを行うと、刻印やシルクは間違った記載となる。これを刻印やシルクを敢えてスイッチ上もしくはフロントベゼルの上に記載せずにキーガイドで案内することによりスイッチの入れ替えを違和感なく実現することが可能となる。また、スイッチ上やフロントベゼルに刻印やシルクがないため、デザイン的にもスマートにすることができる。
【００６８】
［第５の実施の形態］
次に、本発明の第５の実施の形態について説明する。
上述したＯＳＤスイッチの回転について、従来は回転したＯＳＤメニュー（ＯＳＤスイッチの機能を入れ替えたメニュー）を使うか、通常のＯＳＤメニュー（ＯＳＤスイッチの機能をそのままにしたメニュー）を使うかをオンスクリーンメニュー等でユーザが設定していた。これに対して、回転しているか、していないかを自動で認識する方法を説明する。
【００６９】
図１１は、本発明の表示装置の第５の実施の形態を示す図であり、表示装置の外観を示す図である。また、図１２は、第５の実施の形態における表示装置の回路構成例を示すブロック図である。
【００７０】
図１１において、図１１（Ａ）はスタンド７を有するスタンド付表示装置の側面図、図１１（Ｂ）はスタンド付表示装置の背面図を示している。図１１（Ｃ）は、スタンド７を外した場合の表示装置の側面図を示している。図１１（Ｄ）はスタンド７を外した場合のスタンドなし表示装置の背面図を示している。
【００７１】
また、図１１（Ｅ）および図１１（Ｆ）は、図１１（ｃ）および図１１（Ｄ）の丸で囲んだところに配置された回転判別スイッチ１１を拡大した図である。
【００７２】
また、図１２において、１１は、表示装置１の回転を判別するための回転判別スイッチである。また、その他の部分は図５に示す回路ブロック図と同様であり、その説明については省略する。
【００７３】
上記構成例における動作について説明する。図１１（Ｅ）、図１１（Ｆ）の左側の図に対して、黒の矢印ｈの方向から、スタンド７が接近してくる時を考える。この時、スタンド７が回転判別スイッチ１１を物理的に黒の矢印ｈの方向から押すことにより、図１１（Ｅ）、図１１（Ｆ）の右側の状態になる。スタンド７が回転判別スイッチ１１の背面にきたときには、回転判別スイッチ１１が常に押された状態になる。つまり、回転していない時は、回転判別スイッチ１１が押され、ＯＮ状態を維持し、回転した時には、図１１（Ｇ）に示すようにスタンド７と回転判別スイッチ１１とが離れて、回転判別スイッチ１１が押されなくなり、ＯＦＦ状態を維持することが可能となる。
【００７４】
また、図１２により説明すると、回転判別スイッチ１１により、回転判別スイッチ１１がＯＮであるかＯＦＦであるかの信号である回転判別スイッチ信号ｇを操作信号変換部１１０へ送り、ＯＳＤメニュー動作やキーガイド表示を、回転しない状態または回転した状態として処理し、図６（Ａ）のフローチャートのステップＳ２において回転判別を自動で行い、図６（Ｂ）ないし図６（Ｃ）に示す変換処理表によりキー動作の変換処理を行う。
【００７５】
このように、本発明の第５の実施の形態によれば、表示装置１が回転しているかどうかを自動で判断することが可能となり、ＯＳＤ機能やＯＳＤスイッチを自動で切替えることが可能となる。
【００７６】
なお、図１１に示した例は、スタンド７と表示装置１との回転状態を回転判別スイッチ１１のＯＮ／ＯＦＦ状態で識別する方法であるが、スタンド７と表示装置１の背面の双方に接点端子を設け、その接点端子が接触するか／接触しないかで識別するなどの方法を使用してもよい。また、スタンド７と表示装置１との回転状態を磁気サンサーや赤外線センサーなどの他のセンサーにより検出してもよい。
【００７７】
また、図１１に示した例は、スタンドがついている場合には効果があるが、スタンドがついていない場合には、スイッチがＯＦＦ状態を維持して常に回転した状態と誤認識されることとなる。これに換えて、例えば傾斜センサーや重力センサーなどを設け、表示装置自体が傾斜しているかどうかを識別するようにすれば、スタンド７がある場合も、ない場合も問題なく、表示装置１が回転しているかどうかを識別することが可能となる。
【００７８】
以上説明したように、本発明によれば、フロントベゼル（額縁）が狭く、フロントベゼルの１つの辺にスイッチを縦横に並べて置くスペースがない場合でも、２辺にスイッチを配置することで上下左右方向に対応するスイッチを視覚的に違和感なく配置することができ、操作性を向上させることが可能となる。また、表示装置を回転した時でも上下方向と左右方向のスイッチ動作を入れ替えることにより、上下動作を上下配置のスイッチで、左右動作を左右配置のスイッチでオンスクリーンメニューを操作することが可能となる。また、本発明の実施の形態の例では、回転しない状態で右下にＯＳＤスイッチを配置した例を示しているが、右上、左上、左下に配置された場合でも同様である。
【００７９】
また、フロントベゼルを狭額縁化することにより、刻印やシルクなどのマークや文字をフロントベゼル上に記すことがスペース的に難しくなるが、この場合においては、表示画面にキーガイドを表示することにより刻印やシルクなどがなくともスイッチ機能（キー機能）をユーザに明示することができる。
【００８０】
また、キーガイドを表示した場合には、表示装置を回転し、各キー（スイッチ）に割り当てた機能を変えた場合でも、キーガイド表示内容を変えることにより機能割り当ての変更を明示することができ、ユーザが容易にキー操作をすることができる。
【００８１】
さらに表示装置が回転しているかどうかを自動で判別することにより、ＯＳＤ機能やＯＳＤスイッチの機能の切換えを手動で行うことなく、メニュー操作をすることが可能となる。
【００８２】
なお、本発明の実施の形態の例では、表示装置１を回転させる場合、右９０度に回転させた時の例を示しているが、右１８０度、右２７０度に回転させた時も上記と同様の考え方により対応できるのは説明するまでもない。
【００８３】
以上、本発明の実施の形態について説明したが、本発明の表示装置は、上述の図示例にのみ限定されるものではなく、本発明の要旨を逸脱しない範囲内において種々変更を加え得ることは勿論である。
【産業上の利用可能性】
【００８４】
本発明は、フロントベゼルが狭いままでも、その厚みを増さずに、スイッチ操作が視覚的に違和感なくできるようにＯＳＤスイッチを配置できる効果を奏するので、本発明は、表示装置、およびＯＳＤスイッチの配置方法等に有用である。
【図面の簡単な説明】
【００８５】
【図１】本発明の表示装置の第１の実施の形態を示す図である。
【図２】第１の実施の形態における表示装置の回路構成例を示すブロック図である。
【図３】ＯＳＤ画面の例を示す図である。
【図４】本発明の表示装置の第２の実施の形態を示す図である。
【図５】第２の実施の形態における表示装置の回路構成例を示すブロック図である。
【図６】本発明の表示装置における処理の流れを示す図である。
【図７】本発明の表示装置の第３の実施の形態を示す図である。
【図８】オンスクリーンによる他の表記の例１を示す図である。
【図９】オンスクリーンによる他の表記の例２を示す図である。
【図１０】本発明の表示装置の第４の実施の形態を示す図である。
【図１１】本発明の表示装置の第５の実施の形態を示す図である。
【図１２】第５の実施の形態における表示装置の回路構成例を示すブロック図である。
【図１３】従来の表示装置の構成例を示す図である。
【符号の説明】
【００８６】
１  表示装置
２  フロントベゼル
３  表示画面
５  ＣＯＮＴＲＡＳＴバー
６  横長のメニュー
７  スタンド
１０  ＯＳＤスイッチ
１０ａ、１０ｂ、１０ｃ、１０ｄ  スイッチ
１１  回転判別スイッチ
１３ａ、１３ｂ、１３ｃ  スイッチ
１０１  映像処理部
１０２  映像ＭＩＸ部
１０３  映像表示部
１０４  操作信号処理部
１０５  ＯＳＤ制御部
１１０  操作信号変換部
【図１】
0005236862.tif 000002
【図２】
0005236862.tif 000003
【図３】
0005236862.tif 000004
【図４】
0005236862.tif 000005
【図５】
0005236862.tif 000006
【図６】
0005236862.tif 000007
【図７】
0005236862.tif 000008
【図８】
0005236862.tif 000009
【図９】
0005236862.tif 000010
【図１０】
0005236862.tif 000011
【図１１】
0005236862.tif 000012
【図１２】
0005236862.tif 000013
【図１３】
0005236862.tif 000014